(57)【要約】【課題】カセット式コインチューブへの硬貨補充が、硬貨処理装置本体に一番近い場所で、かつ容易く出来るようにする。【解決手段】装置本体側に係止部１を設け、カセット式コインチューブ側に係止部２を設けて、前記係止部１と前記係止部２によって、前記カセット式コインチューブを装置本体に係止可能とし、かつ前記カセット式コインチューブを係止した状態で前記カセット式コインチューブへの硬貨補充を可能にする。【選択図】図４
2013073481.tif 000002
【特許請求の範囲】
【請求項１】
装置本体に脱着可能なカセット式コインチューブを備えた硬貨処理装置であって、
装置本体側に係止部１を設け、カセット式コインチューブ側に係止部２を設けて、
前記係止部１と前記係止部２によって、前記カセット式コインチューブを装置本体に係止可能とし、かつ前記カセット式コインチューブを係止した状態で前記カセット式コインチューブの背面側から硬貨補充を可能にしたことを特徴とする硬貨処理装置。
【請求項２】
前記係止部１は前記装置本体の筐体両側面に設け、前記係止部２は前記カセット式コインチューブの両側面上部に設けたことを特徴とする請求項１記載の硬貨処理装置。
【請求項３】
前記カセット式コインチューブは、背面に開放可能な蓋を設けたことを特徴とする請求項１乃至請求項２に記載の硬貨処理装置。
【発明の詳細な説明】
【技術分野】
【０００１】
本発明は、自動販売機等に搭載する硬貨処理装置に備えられて、装置本体に脱着可能な硬貨収納装置に関し、特に当該硬貨収納装置に硬貨を補充し易くする技術に関するものである。
【背景技術】
【０００２】
自動販売機に搭載される硬貨処理装置の硬貨収納装置は、硬貨を金種毎に整列積載するための複数のコインチューブが並列し、各コインチューブ内の最下段の硬貨を１枚ずつ払い出すためのペイアウトスライドと、該ペイアウトスライドの動作基盤となりかつ前記複数のコインチューブの底部となるコインベースとで構成されている。
【０００３】
上記構成の硬貨収納装置は、硬貨処理装置本体に脱着可能であり、カセット式コインチューブと称されている。
【０００４】
特許文献１及び特許文献２には、硬貨処理装置に搭載するカセット式コインチューブの具体例が開示されている。
【０００５】
この特許文献１及び特許文献２に開示されているように、カセット式コインチューブはその背面側に複数のチューブに開放可能な蓋を備えていて、この蓋を開放することで硬貨補充がし易いようになっている。
【先行技術文献】
【特許文献】
【０００６】
【特許文献１】特開２０１０−１４６３１４号公報
【特許文献２】特開２０１０−６１６０９号公報
【０００７】
上記のように、硬貨補充は背面側の蓋を開けて行う。この時、カセット式コインチューブは手にのった状態や水平な台等に置かれた状態になる。
【０００８】
一方、カセット式コインチューブに収納される硬貨は金種毎であり、１０円硬貨が約１００枚、５０円硬貨が約８２枚、１００円硬貨が約７７枚、５００円硬貨が約７０枚の収納が可能である。これらの硬貨が収納された場合には、硬貨重量は約１．７ｋｇになる。従って、この硬貨重量が硬貨補充者の手にかかることになる。
【発明の概要】
【発明が解決しようとする課題】
【０００９】
上記のような状況で、カセット式コインチューブを手で持って硬貨補充する場合には、硬貨重量が手にかかり、落下のおそれがある。また、カセット式コインチューブを水平な台に置いて硬貨補充する場合には、整列積載となるように硬貨を抑えておく必要があり、かつ硬貨補充後、水平に置かれた状態から持ち上げる時には、硬貨重量が指にかかって持ち上げ難い。
【００１０】
本発明で解決しようとする課題は、カセット式コインチューブへの硬貨補充を容易く行えるようにする点にある。
【課題を解決するための手段】
【００１１】
本発明は、硬貨処理装置本体側に係止部を設け、カセット式コインチューブを、その背面が表になるように前記係止部へ係止可能にすることを最も主要な特徴とする。
【発明の効果】
【００１２】
本発明の硬貨処理装置は、装置本体から離脱させたカセット式コインチューブを、その背面が表になるように装置本体へ係止できるようにしたため、カセット式コインチューブへの硬貨補充時に、該コインチューブを手に持って行うことや平らな台も不要であり、装置本体に一番近い場所で硬貨補充が行えて作業時間が短縮できるという利点がある。
【図面の簡単な説明】
【００１３】
【図１】本発明の硬貨処理装置の正面概略図である。
【図２】図１に示すＡ−Ａ断面の概略図である。
【図３】図１の硬貨処理装置からカセット式コインチューブを離脱させた時の図である。
【図４】図３の離脱させたカセット式コインチューブを装置本体側の両側面に係止した状態を示す図であり、硬貨処理装置の側面視図である。
【図５】図４と同じ硬貨処理装置の側面視図であり、一部断面として示した図である。
【発明を実施するための形態】
【００１４】
硬貨処理装置本体へカセット式コインチューブを係止するという目的を、硬貨処理装置の機能を損なわずに実現した。
【実施例】
【００１５】
図１は本発明装置の１実施例を示し、カセット式コインチューブ３は硬貨処理装置１の下部に位置している。この時、カセット式コインチューブ３は装置本体側のストッパ４で前面側への外れが防止させれている。
【００１６】
図２は図１に示す装置の断面図であって、装置本体内でのカセット式コインチューブ３の状態を示している。また、この状態はカセット式コインチューブ３に硬貨５を数枚収納している状態を示している。この時、カセット式コインチューブ３の前面側は前記ストッパ４で止められ、背面側は装置本体内部に位置している。
【００１７】
図３は、図１及び図２の状態にあるカセット式コインチューブ３を装置本体から離脱させた状態を示している。この時、カセット式コインチューブ３の側面上部にはボス６が設けられていて、装置本体側側面には略Ｊ字状の係止部７が設けられている。尚、ボス６及び係止部７は、図示しない反対側の側面にも各々設けられている。
【００１８】
図４は、図３に示した装置本体から離脱したカセット式コインチューブ３を装置本体側の係止部７に係止させた状態を示している。この時、カセット式コインチューブ３の背面側は、装置本体の正面側に位置していて、矢印Ｂのように蓋８を開放することが出来る。
【００１９】
図５は、図４の一部を断面視したものである。この時、カセット式コインチューブ３は係止部７に係止されたボス６を中心にして矢印Ｃの方向に回転し、前記ストッパ４に当接してその回転が止められ、更にストッパ４との当接点を中心として矢印Ｃの方向に回転することで、ボス６と係止部７との係止が安定したものになる。
【００２０】
このように、カセット式コインチューブ３は装置本体側係止部７に係止することで、カセット式コインチューブ３の背面側の蓋８を開放することが出来、硬貨補充を容易く行うことが出来る。
【００２１】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００２２】
１    硬貨処理装置
２    硬貨識別選別部
３    カセット式コインチューブ
４    ストッパ
５    硬貨
６    ボス
７    係止部
８    （カセット式コインチューブの）蓋
【図１】
2013073481.tif 000003
【図２】
2013073481.tif 000004
【図３】
2013073481.tif 000005
【図４】
2013073481.tif 000006
【図５】
2013073481.tif 000007